(57)【要約】      （修正有）【課題】電解槽において生成した溶融塩由来の成分を含むフッ化水素を電解槽に再利用することができるフッ素ガス生成装置を提供する。【解決手段】フッ化水素を含む溶融塩からなる電解浴中でフッ化水素を電解する電解槽１を備え、ガスの発生に随伴する溶融塩のミストと、溶融塩から気化したフッ化水素ガスとを電解槽１上部の配管９，１０に接続した還流装置１４，１７，１８、および、１３，１５，１６により液化還流させることで、フッ化水素及び溶融塩のミストを電解槽１に戻すことを特徴とするフッ素ガス生成装置１００。【選択図】図１
2011084806.tif 000002
【特許請求の範囲】
【請求項１】
フッ化カリウムおよびフッ化水素から成る溶融塩中のフッ化水素を電気分解することによって、フッ素ガスを生成するフッ素ガス生成装置であって、
フッ化カリウムおよびフッ化水素を含む溶融塩からなる電解浴中でフッ化水素を電気分解することによって陽極側にフッ素ガスを主成分とする主生ガスを発生させると共に、陰極側に水素ガスを主成分とする副生ガスを発生させる電解槽と、
前記電解槽の溶融塩から気化したフッ化水素ガスと、前記主生ガスと前記副生ガスの発生に随伴する溶融塩由来のミストとが混入した前記主生ガスおよび前記副生ガスを電解槽からそれぞれ誘導する第１配管と、
前記第１配管に設けられ、該第１配管の一部の温度を調節する熱交換機構と、を備え
前記熱交換機構により温度調節された前記第１配管の一部で液化されたフッ化水素を、前記電解槽に戻すことを特徴とするフッ素ガス生成装置。
【請求項２】
前記第１配管の下部に接続され、前記液化されたフッ化水素を電解槽に戻すためのディップ管と、
前記電解槽及び前記第１配管に接続され、前記電解槽の溶融塩から気化したフッ化水素ガスと、前記主生ガスと前記副生ガスの発生に随伴する溶融塩由来のミストとが混入した前記主生ガスおよび前記副生ガスのそれぞれを誘導する第２配管と、を備え
前記ディップ管を前記電解槽の電解浴中に浸漬させることによって、前記電解槽にて生成された前記主生ガスおよび前記副生ガスのそれぞれを誘導する通路と、前記液化されたフッ化水素を電解槽に戻す通路を別々に設けることを特徴とする請求項１に記載のフッ素ガス生成装置。
【請求項３】
前記第１配管と前記第２配管の接続部分が、前記第１配管の一部の温度を調節する熱交換機構の内部に位置することを特徴とする請求項２に記載のフッ素ガス生成装置。
【請求項４】
前記熱交換機構が、前記電解槽の天板上部からの距離が０ｃｍ以上、２００ｃｍ以下の位置に設けられることを特徴とする請求項１乃至請求項３の何れかに記載のフッ素ガス生成装置。
【請求項５】
前記熱交換機構を備えた前記第１配管の内部に充填材を充填することを特徴とする請求項１乃至請求項４の何れかに記載のフッ素ガス生成装置。
【請求項６】
前記熱交換機構を備えた前記第１配管の内部に充填する前記充填材が、規則充填材もしくは不規則充填材である請求項５に記載のフッ素ガス生成装置。
【請求項７】
前記熱交換機構に、熱媒又は冷媒を流通させることを特徴とする請求項１乃至請求項６の何れかに記載のフッ素ガス生成装置。
【請求項８】
前記熱交換機構を備えた前記第１配管の一部のガスの温度を、フッ化水素の融点以上かつ沸点以下に調節することを特徴とする請求項１乃至請求項７の何れかに記載のフッ素ガス生成装置。
【請求項９】
前記熱交換機構を備えた前記第１配管に、フッ化水素を供給するための配管を接続し、前記熱交換機構を備えた前記第１配管の内部の温度が−８３℃〜−５０℃の範囲において、フッ化水素を０．０１〜０．１２当量添加することを特徴とする請求項１乃至請求項８の何れかに記載のフッ素ガス生成装置。
【請求項１０】
前記熱交換機構が、前記電解槽の天板上部からの距離が１０ｃｍ以上、１００ｃｍ以下の位置に設けられることを特徴とする請求項１乃至請求項３の何れかに記載のフッ素ガス生成装置。
【発明の詳細な説明】
【技術分野】
【０００１】
本発明は、フッ素ガス生成装置に関し、特に生成ガスに随伴するミストによる配管閉塞を防止することが可能なガス生成装置、及び、ガス生成装置の配管構造に関する。
【背景技術】
【０００２】
従来、フッ化水素を含む溶融塩からなる電解浴中でフッ化水素を電解する電解槽を備え、陽極側にフッ素ガスを主成分とする主生ガスを発生させると共に、陰極側に水素ガスを主成分とする副生ガスを発生させるフッ素ガス生成装置が知られている。
【０００３】
この種のフッ素ガス生成装置では、電解槽の陽極から発生するフッ素ガスを主成分とする主生ガス中に、溶融塩から気化したフッ化水素ガスが混入すると同時に、溶融塩自体のミストも同時に混入するため、長時間使用していくうちに配管の閉塞が生じてしまう。
【０００４】
同様に、陰極から発生する水素ガスを主成分とする副生ガス中にも、溶融塩から気化したフッ化水素ガスが混入すると同時に、溶融塩自体のミストも混入する。そのため、長時間使用していくうちに配管の閉塞が生じてしまう。
【０００５】
また、上記フッ素ガス生成装置では、電解槽で生成したフッ素ガス（主生ガス）は、圧力調整弁を通過させたのち、ＮａＦなどの吸着剤を使用した精製塔を通過させ、不純物の除去を行うのが一般的である。この際、フッ素ガス中に含まれているミストは、上記記載の配管の閉塞問題以外にも、圧力調整弁の閉塞や、精製塔の閉塞および吸着剤の劣化を引き起こす恐れがある。
【０００６】
したがって、一定期間ごとに配管および圧力調整弁を取り外し、洗浄しなければならない。また、精製塔の吸着剤の交換作業も頻度多く行わなければならない。そのためには電解槽の運転を停止し、配管の置換作業が必要となる。
【０００７】
特許文献１には、配管途中にフィルターを差し込むことで、フィルター上にミストをトラップする技術が開示されているが、この方法においても、一定期間ごとにフィルターが目詰まりすることがあり、フィルターを定期的に交換するか、もしくはトラップしたミストを定期的に洗浄しなければならない。
【０００８】
フィルターの交換もしくは洗浄を行うためには、配管の解体作業が必要となり、そのためには、電解槽の運転を停止し、配管の置換作業が必要となる。したがって、作業が繁雑になるばかりではなく、生産性の悪化を招く。
【０００９】
また、特許文献２には、フィルターの寿命を長寿命化することを目的として、配管の一部に温度を調節する温度調節機構を設け、温度調節された部分で液化されたフッ化水素ガスを、配管途中に差し込まれたフィルターに接触させることにより、フィルター面に堆積した固形物を溶解させ、閉塞を防ぎ、フィルターの機能を復活させる技術が開示されている。
【先行技術文献】
【特許文献】
【００１０】
【特許文献１】特開２００５−１７９７０９号公報
【特許文献２】特開２００６−１１１９００号公報
【発明の開示】
【発明が解決しようとする課題】
【００１１】
特許文献２に記載のガス発生装置では、配管の一部に設置された温度調節機構の下流にフィルターを設置する構造となっており、温度調節された部分で液化されたフッ化水素を温度調節機構の下流に設置されたフィルターに接触させることでフィルターに付着した閉塞物質を溶解させ、さらに、フィルターの下部に設けられた廃液槽にフィルターの目詰まりの原因となる閉塞物質を残留させる構成となっている。
【００１２】
しかしながら、フィルターに付着した閉塞物質には、溶融塩由来の成分が含まれており、そのまま廃棄してしまうことは、電解槽の原料の使用効率の観点から好ましくない。
【００１３】
特許文献２に記載のガス発生装置の構成では、温度調節機構の下流にフィルターを設置する構造となっており、電解槽からフィルターまでの経路が長くなってしまう。そのため、溶融塩由来の成分を含むフッ化水素と配管などの部材との接触による不純物濃度の増加が懸念されるため、フィルターに付着した閉塞物質を電解槽の原料として再利用することは好ましくないという問題点があった。
【００１４】
また、フィルターに付着した閉塞物質を残留させる廃液槽を設ける場合、一定期間ごとに、廃液槽の交換や洗浄などの作業負荷が増え、電解槽の運転を停止しなければならない場合があった。
【００１５】
本発明は、上記の問題点に鑑みてなされたものであり、電解槽において発生した生成ガス中の溶融塩由来の成分、特にフッ化水素を電解槽に還流再利用することができるフッ素ガス生成装置を提供することを目的とする。
【課題を解決するための手段】
【００１６】
本発明者らは、上記課題を解決するために、鋭意検討した結果、溶融塩由来の成分、特にフッ化水素を還流させるための温度調節機構を、電解槽のガスの出口付近に設けることによって、該配管の閉塞を招く溶融塩由来の物質を残留させる廃液槽を設けることなく、溶融塩由来の成分、特にフッ化水素を電解槽に、効率的に還流再利用できることを見出し、本発明に至った。
【００１７】
すなわち、本発明は、フッ化カリウムおよびフッ化水素から成る溶融塩中のフッ化水素を電気分解することによって、フッ素ガスを生成するフッ素ガス生成装置であって、フッ化カリウムおよびフッ化水素を含む溶融塩からなる電解浴中でフッ化水素を電気分解することによって陽極側にフッ素ガスを主成分とする主生ガスを発生させると共に、陰極側に水素ガスを主成分とする副生ガスを発生させる電解槽と、前記電解槽の溶融塩から気化したフッ化水素ガスと、前記主生ガスと前記副生ガスの発生に随伴する溶融塩由来のミストとが混入した前記主生ガスおよび前記副生ガスを電解槽からそれぞれ誘導する第１配管と、前記第１配管に設けられ、該第１配管の一部の温度を調節する熱交換機構と、を備え、前記熱交換機構により温度調節された前記第１配管の一部で液化されたフッ化水素を、還流させ前記電解槽に戻すことを特徴とするフッ素ガス生成装置である。
【００１８】
また、本発明は、前記第１配管の下部に接続され、前記液化されたフッ化水素を電解槽に戻すためのディップ管と、前記電解槽及び前記第１配管に接続され、前記電解槽の溶融塩から気化したフッ化水素ガスと、前記主生ガスと前記副生ガスの発生に随伴する溶融塩由来のミストとが混入した前記主生ガスおよび前記副生ガスのそれぞれを誘導する第２配管とを備え、前記ディップ管を前記電解槽の電解浴中に浸漬させることによって、前記電解槽にて生成された前記主生ガスおよび前記副生ガスのそれぞれを誘導する通路と、前記液化されたフッ化水素を還流させ電解槽に戻す通路を別々に設けることを特徴とするフッ素ガス生成装置である。
【００１９】
本構成にすることによって、電解槽で発生した各生成ガスが誘導される通路と該生成ガス中に含まれるフッ化水素を還流するための通路を別々にすることができ、該生成ガスの流量が増加した場合においても、正常にフッ化水素を還流することが可能となる。
【００２０】
なお、ここで言う下部とは、前記電解槽にて発生した該生成ガスを外部に誘導するための第１配管の下部、つまり、電解槽の溶融塩が貯留されている電解浴側を表す。
【００２１】
また、前記第１配管と前記第２配管の接続部分を、前記第1配管の一部の温度を調節する熱交換機構の内部に位置させることによって、配管の接続部分において、溶融塩由来の析出物による閉塞を低減させることが可能となる。
【００２２】
また、本発明は、前記熱交換機構が、前記電解槽の天板上部からの距離が２００ｃｍ以下の位置に設けられることを特徴とするフッ素ガス生成装置である。
【００２３】
なお、ここで言う天板上部から熱交換機構までの距離とは、電解槽の天板上部に設けられた前記第１配管のガスの出口部分から熱交換機構として用いる温度調節器の下部までの距離を表す。
【００２４】
また、本発明は、前記熱交換機構を備えた前記第１配管に、フッ化水素を供給するための配管を接続し、前記熱交換機構を備えた前記第１配管の内部にフッ化水素を供給することを特徴とするフッ素ガス生成装置である。
【００２５】
前記熱交換機構を備えた前記第１配管内部の温度が−８３℃〜−５０℃の範囲において、フッ化水素を０．０１〜０．１２当量添加することにすることによって、電解槽中の溶融塩の突沸や液面変動がなく、効率的にフッ化水素を還流させることが可能となる。
【発明の効果】
【００２６】
本発明によれば、電解槽のガスの出口付近において、溶融塩由来の成分、特にフッ化水素を液化還流させることによって電解槽の原料として再利用することができ、かつ、電解槽から発生するフッ素ガスを主成分とする主生ガスおよび水素ガスを主成分とする副生ガスを誘導する配管および弁の解体洗浄作業を無くし、安定かつ連続的にフッ素ガスを供給可能なフッ素ガス生成装置を提供することができる。
【図面の簡単な説明】
【００２７】
【図１】本発明の第１の実施の形態に係るフッ素ガス生成装置の系統図の一例である。
【図２】本発明の第２の実施の形態に係るフッ素ガス生成装置の系統図の一例である。
【図３】本発明の第２の実施の形態に係るフッ素ガス生成装置の系統図の他例である。
【発明を実施するための最良の形態】
【００２８】
以下、図面を参照して、本発明の実施形態について説明する。
【００２９】
＜第１の実施の形態＞
図１を参照して、本発明の第１の実施の形態に係るフッ素ガス生成装置１００について説明する。
【００３０】
フッ素ガス生成装置１００は、電気分解によってフッ素ガスを主成分として含有する主生ガスを生成するとともに、水素ガスを主成分として含有する副生ガスを生成する装置である。
【００３１】
フッ素ガス生成装置１００は、電気分解によってフッ素ガスを生成する電解槽１と、電解槽１から生成した主生ガス（フッ素ガス）を外部へと供給するフッ素ガス供給系統２と、フッ素ガスの生成に伴って生成された副生ガス（水素ガス）を外部へと供給する水素ガス供給系統３とを備える。
【００３２】
まず、電解槽１について、説明する。
【００３３】
電解槽１には、フッ化水素（ＨＦ）を含む溶融塩が貯留される。本実施例の形態では、溶融塩として、フッ化水素とフッ化カリウム（ＫＦ）の混合物（ＫＦ・２ＨＦ）が用いられる。
【００３４】
電解槽１内は、溶融塩に浸漬させたスカート６によって陽極室７と陰極室８に区画される。陽極室７及び陰極室８のそれぞれには、陽極４と陰極５が浸漬され、陽極４と陰極５の間に電源（図示せず）から電流が供給されることによって、陽極４では主生ガスとしてフッ素ガス（Ｆ２）が生成され、陰極５では副生ガスとして水素ガス（Ｈ2）が生成される。陽極４には炭素電極が用いられ、陰極５には、軟鉄、モネル、ステンレス、又はニッケルからなる電極が用いられる。
【００３５】
ＫＦ・２ＨＦの融点が７１．７℃であるため、溶融塩の温度は９０〜１００℃に調節される。電解槽１の陽極４及び陰極５から生成したフッ素ガスを主成分とする主生ガスおよび水素ガスを主成分とする副生ガスのそれぞれには、溶融塩からフッ化水素が蒸気圧分だけ気化して混入するとともに、溶融塩成分であるフッ化カリウム（ＫＦ）とフッ化水素（ＨＦ）の混合物ＫＦ・ｎＨＦがミストとして混入する。
【００３６】
このように、陽極４にて生成され、陽極室７に導かれるフッ素ガスを主成分とする主生ガス（以下、単に「フッ素ガス」ともいう）、及び、陰極５にて生成され、陰極室８に導かれる水素ガスを主成分とする副生ガス（以下、単に「水素ガス」ともいう）のそれぞれには、溶融塩から気化したフッ化水素ガスおよび溶融塩由来のミスト成分が含まれている。
【００３７】
次に、フッ素ガス供給系統２の構成について説明する。
【００３８】
陽極室７には、陽極４にて生成した主生ガスを外部に導くための第１フッ素ガス配管９が、電解槽１の上部天板１ａに接続される。
【００３９】
陽極室７に接続された第１フッ素ガス配管９の一部の外周には、第１フッ素ガス配管９の温度を調節する熱交換機構として供するジャケット１３が設けられている。第１フッ素ガス配管９のジャケット１３の下流側には、バルブ１１が設けられている。
【００４０】
熱交換機構としては、配管内部の温度を調節できるものであれば、特に限定されないが、例えば、温媒（熱媒又は冷媒）を流通可能なジャケットを用いる方式、外管の中に伝熱管を同心円状に挿入し、それぞれ流体を流して熱交換させるシェルアンドチューブ方式（多管式熱交換器）、ペルチェ素子を用いる方式などが挙げられる。
【００４１】
ジャケット１３には、熱媒を流通させるための熱媒入口配管１５および熱媒出口配管１６が接続され、ジャケット１３に熱媒を流通させることにより、第１フッ素ガス配管９の温度調節を行うことができる。使用する熱媒としては、第１フッ素ガス配管９の温度調節を行うことのできるものであれば特に限定されない。
【００４２】
さらに、ジャケット１３は、電解槽１の上部天板１ａからできるだけ近い位置、つまり、電解槽１のガスの出口付近に配置することが好ましい。電解槽１の上部天板１ａからジャケット１３までの距離が長くなると、ジャケット１３に覆われていない上部天板1ａからジャケット１３間の配管部分での閉塞が起きやすくなるため、電解槽１の天板上部１ａからジャケット１３の下部までの距離は、０ｃｍ以上、２００ｃｍ以下とすることが好ましく、特に、１０ｃｍ以上、１００ｃｍ以下とすることが好ましい。
【００４３】
また、ジャケット１３を設置した第１フッ素ガス配管９部分の内部には、ジャケット１３からの熱伝導を効率的に行うために充填材を充填することが好ましい。
【００４４】
該充填材の材質としては、フッ素ガス及びフッ化水素ガスに対して耐食性のあるものを用いることが好ましく、例えばニッケル、モネル、ステンレス、鉄、銅等の材料が挙げられる。
【００４５】
該充填材としては、規則充填材や不規則充填材等が挙げられ、特に限定されない。規則充填材としては、例えば孔、凹凸等を施した薄板や、金網状のものなど、これらを組み合わせたものが挙げられ、不規則充填材としては、例えばラシヒリング、ポールリング、テラレット、マクマホンパッキン、ヘリパック等の汎用品を挙げることができる。
【００４６】
なお、ここで言う規則充填材とは、規則的に積み重ねるのに適した充填材を表し、不規則充填材とは、充填する際に、不規則で無秩序に雑然と積まれる充填材を表す。
【００４７】
充填材の配置方法として、特に限定されず、充填材をランダムに配置することが可能である。また、充填材の間隔は、充填材同士が接触する部分が多くなりすぎて、ガスの流れを妨げるものでなければ、特に限定されず、充填材同士が一部接触していたり、数ｍｍ程度の間隔を有してもよい。
【００４８】
例えば、不規則充填材として、直径４ｍｍ〜１０ｍｍのラシヒリングを用いる場合、充填材は一部接触している部分や２ｍｍ〜１０ｍｍ程度の間隔を有する部分を含む。
【００４９】
次に、以上のように構成されるフッ素ガス供給系統２の還流工程について説明する。
【００５０】
陽極４にて生成したフッ素ガス（主生ガス）は、第１フッ素ガス配管９に誘導され、熱媒を流通させたジャケット１３を通過することにより冷却される。
【００５１】
陽極４にて生成したフッ素ガス（主生ガス）中には、フッ素ガス以外にフッ化水素及び溶融塩由来のミストが含まれている。例えば、電解槽１の原料としてＫＦ・２ＨＦを用い、大気圧で操業する場合、陽極室７から誘導されるフッ素ガス中にフッ化水素は分圧で５０ｍｍＨｇ程度含まれる。
【００５２】
第１フッ素ガス配管９を、外周に設置したジャケット１３によって温度調節し、第１フッ素ガス配管９を通過するフッ素ガスの温度を、フッ化水素の蒸気圧以下に冷却することによってフッ素ガス中のフッ化水素を液化させる。第１フッ素ガス配管９内のフッ素ガスの温度を、フッ化水素の温度を融点以上、沸点以下、すなわち、−８３℃〜１９℃とするように、温度を調節することが好ましい。
【００５３】
第１フッ素ガス配管９内の温度は、フッ化水素の融点（−８３℃）に近いほうが好ましい。配管９内の温度が、−８３℃〜−５０℃の温度範囲においては、フッ化水素を効率的に液化することが可能であるが、−５０℃〜１９℃の温度範囲では、フッ化水素の蒸気圧の影響から、フッ化水素の液化が生じにくくなる。
【００５４】
そのため、特開２００６−１１１９００号公報に記載されているように、電解槽にて生成されたフッ素ガスを導出する配管（第１フッ素ガス配管９）の温度調節された部位に、フッ化水素供給用の配管を接続することによって、フッ化水素を前記部位に供給してフッ化水素の濃度を増加させ、液化されるフッ化水素の量を多くするようにしてもよい。
【００５５】
しかしながら、添加するフッ化水素の量が多すぎると、電解槽にて生成された主生ガス（Ｆ2）中のフッ化水素濃度が増加し、後段のフッ化水素の除去精製工程に負荷がかかることや、フッ化水素の還流量が増加し、電解槽にフッ化水素が戻る際に、溶融塩の突沸や液面の変動が生じる。このため、添加するフッ化水素を適切な量に制御することが必要となる。
【００５６】
すなわち、添加するフッ化水素の量は、電解槽において生成された主生ガス（Ｆ2）中のフッ化水素濃度が必要以上に増加しない、かつ、溶融塩の突沸や液面の変動が起きない程度にすることが特に好ましい。
【００５７】
フッ化水素の蒸気圧は温度に依存するため、フッ化水素の蒸気圧を考慮し、第１フッ素ガス配管９内の温度によって、フッ化水素の添加量を適宜調整することが好ましく、配管９内の温度が、−５０℃〜１９℃の温度範囲においては、フッ化水素の添加量は０．１３〜１．０当量とすることが好ましい。なお、適切なフッ化水素の添加量は、溶融塩（ＫＦ・ｎＨＦ）及びフッ化水素の蒸気圧曲線より算出することができる。
【００５８】
上述のように、第１フッ素ガス配管９内の温度が、−８３℃〜−５０℃の範囲においては、フッ化水素を添加せずにフッ化水素を効率的に液化することが可能であり、第１フッ素ガス配管９内温度を、フッ化水素の融点（−８３℃）付近にすることが好ましいが、−８３℃付近に温度を設定する場合、温度調節機（熱交換機構）に対する負担や冷却能力の観点から、配管９内の温度を、−６５℃〜−５０℃の範囲に設定し、適切な量のフッ化水素を添加することが特に好ましい。
【００５９】
第１フッ素ガス配管９内の温度が、−８３℃〜−５０℃の温度範囲においては、フッ化水素の添加量は０．０１〜０．１２当量とすることが特に好ましく、フッ化水素の添加量を調整することによって、生成された主生ガス（Ｆ2）中のフッ化水素濃度の増加が少なく、さらに、溶融塩の突沸や液面の変動なく、効率的にフッ化水素を還流させることが可能となる（後述の実施例３、４及び比較例３参照）。
【００６０】
なお、電解槽における反応式は、２ＨＦ→Ｆ2＋Ｈ2（陽極：２Ｆ-→Ｆ2＋２ｅ-、陰極：２Ｈ＋＋２ｅ-→Ｈ2）となり、ここでフッ化水素の１当量とは、電解に必要なフッ化水素の投入量を表し、フッ素ガス（Ｆ2）１モル及び水素ガス１モル（Ｈ2）を発生させるのに必要なフッ化水素（ＨＦ）のモル数を表す。
【００６１】
また、フッ化水素を供給する配管は、電解槽上部天板１ａの上部から、ジャケット１３によって温度調節された第１フッ素ガス配管９の該部分までに位置すれば特に限定されない。
【００６２】
上述したフッ化水素を第１フッ素ガス配管９に添加する方法は、本発明の第１の実施の形態および第２の実施の形態（後述にて説明）の何れにおいても適用可能である。また、同様に、フッ化水素を添加する方法は、水素ガス供給系統３の第１水素ガス配管１０にも適用可能である。
【００６３】
液化したフッ化水素は、自重により第１フッ素ガス配管９を逆流し、陽極室７へと戻る。この液化したフッ化水素が陽極室７へ戻る際に、溶融塩成分を含むミストを吸着し、溶融塩ミストとともに陽極室７へ戻すことが可能となる。
【００６４】
本発明のフッ素ガス生成装置は、第１フッ素ガス配管内に充填材を充填せずに運転可能である（後述の実施例１参照）が、第１フッ素ガス配管９内には、充填材を配置することもできる（後述の実施例２参照）。充填材を配置する場合、充填材の表面に溶融塩由来の成分が析出するが、液化したフッ化水素は自重によって第１フッ素水素配管９を逆流し、充填材の表面に析出した溶融塩由来の成分を溶解させ、溶融塩由来の成分を陽極室７へ戻すことが可能となる。
【００６５】
次に、水素ガス供給系統３の構成及び還流工程について説明する。
【００６６】
水素ガス供給系統３についても、フッ素ガス供給系統２と同様の形態をとり、第１水素ガス配管１０に設置されたジャケット１４に、熱媒入口配管１７及び熱媒出口配管１８間に流通させた熱媒により第１水素ガス配管１０の内部を冷却し、第１水素ガス配管１０中のフッ化水素を液化還流することで、配管１０内に誘導された水素ガス中の溶融塩成分を含むミストを、フッ化水素とともに陰極室８へと戻すことが可能となる。なお、第１水素ガス配管１０のジャケット１４よりも下流側には、バルブ１２が設けられている。
【００６７】
以上の第１の実施の形態によれば、以下に示す作用効果を奏する。
【００６８】
本発明の第１の実施の形態によるフッ素ガス生成装置では、電解槽にて生成される主生ガス（フッ素ガス）及び副生ガス（水素ガス）のそれぞれを誘導する配管に設けられる熱交換機構が、電解槽のガスの出口付近に設置されており、電解槽から誘導される各ガス中に含まれるフッ化水素を液化還流する部分が該ガスの出口付近となる。そのため、液化したフッ化水素によって、電解槽にて発生した溶融塩由来の成分を該ガスの出口付近で吸着させ、極めて溶融塩の原料に近い形で電解槽に戻すことができる。
【００６９】
また、電解槽にて生成される各ガスを誘導する配管に充填材を配置することにより、配管内の熱伝導を向上させ、配管内部の温度勾配を均一にし、配管内部のフッ化水素を効率的に液化させることができる。
【００７０】
さらに、本発明に用いる充填材同士の間隔は、数ｍｍ程度であり、これまでの従来に用いられてきた目開きが数μｍ程度のフィルターと比較して極めて大きい。そのため、目開きが数μｍ程度のフィルターと比べ、配管内におけるガスの圧力損失が極めて少なく、溶融塩由来の成分の固形物による目詰まりを起こしにくいという特徴を有する。
【００７１】
以上、本発明の第１の実施の形態について説明したが、第１の実施の形態においては、電解槽１における各ガスの発生量を増加させた場合、発生ガスを誘導する各配管内のガスの線速度が速くなり、液化したフッ化水素が自重により落下する力よりも、電解槽において発生したガスが上部に流通する力が上回ってしまい、正常に還流されない場合がある。
【００７２】
そこで、本発明者らは、フッ素ガス生成装置から発生した溶融塩由来の成分、特にフッ化水素を還流させる方法について、鋭意検討した結果、より効率的に還流を行う配管構造を見出した。
【００７３】
以下に、その配管構造について、第２の実施の形態として説明する。
【００７４】
＜第２の実施の形態＞
次に、図２を参照して、本発明の第２の実施の形態に係るフッ素ガス生成装置２００について説明する。以下では、上記第１の実施の形態と異なる点を中心に説明し、第１の実施の形態と同様な構成には、同一の符号を付して説明を省略する。
【００７５】
以下、第２の実施の形態では、上記第１の実施の形態と異なるフッ素ガス供給系統２及び水素ガス供給系統３の構成について説明する。
【００７６】
陽極室７には、陽極４にて生成した主生ガスを誘導するための第２フッ素ガス配管１９が、電解槽１の上部天板１ａに接続されている。さらに、第２フッ素ガス配管１９は、下流にて、第１フッ素ガス配管９と接続される。
【００７７】
第１フッ素ガス配管９の下部には、ディップ管２０が接続され、さらに、ディップ管２０は陽極室７を通り、電解槽１内の溶融塩に浸漬される。
【００７８】
ディップ管２０を浸漬させる浸漬長については特に限定されないが、ディップ管２０の材質としては、Ｎｉ、モネル等の耐食性材料が好ましい。また鉄、ステンレス等を使用する場合は、ディップ管２０の外周にＰＴＦＥ等の耐食材料で保護することが好ましい。
【００７９】
第２フッ素ガス配管１９と第１フッ素ガス配管９の接続部分の下流には、第１フッ素ガス配管９の温度調節を行うジャケット１３が設けられる。
【００８０】
第１の実施の形態と同様に、温度調節を行うジャケット１３は電解槽１の上部天板１ａにできるだけ近い位置とすることが好ましい。
【００８１】
次に、以上のように構成されるフッ素ガス供給系２の還流工程について説明する。
【００８２】
陽極４にて生成され、溶融塩から気化したフッ化水素ガス及び溶融塩ミスト等の溶融塩由来の成分を含んだ主生ガス（フッ素ガス）は、第２フッ素ガス配管１９に誘導され、直接第１フッ素ガス配管９には誘導されない。さらに、第２フッ素ガス配管１９を通過した該ガスは、フッ化水素を還流させるための第１フッ素ガス配管９に導かれ、温度調節されたジャケット１３を配置した第１フッ素ガス配管９部分において、該ガス中のフッ化水素が液化される。
【００８３】
液化したフッ化水素は、自重により第１フッ素ガス配管９を逆流し、陽極室７へと戻る。この液化したフッ化水素が陽極室７へ戻る際に、溶融塩ミストを吸着し、溶融塩ミストとともに陽極室７へ戻すことが可能となる。
【００８４】
水素ガス供給系統３についても、フッ素ガス供給系２と同様の構成とし、陰極室８には、陰極５にて生成した副生ガス（水素ガス）を誘導するための第２水素ガス配管２１が、電解槽１の上部天板１ａに接続されている。さらに、第２水素ガス配管２１は、下流にて、第１水素ガス配管１０と接続される。
【００８５】
第１水素ガス配管１０の下部（上流側）には、ディップ管２２が接続され、さらに、ディップ管２２は陰極室８を通り、電解槽１内の溶融塩に浸漬される。
【００８６】
第２水素ガス配管２１と第１水素ガス配管１０の接続部分の下流には、第１水素ガス配管１０の温度調節を行うジャケット１４が設けられる。ジャケット１４は、電解槽１の上部天板１ａにできるだけ近い位置とすることが好ましい。
【００８７】
次に、以上のように構成される水素ガス供給系３の還流工程について説明する。
【００８８】
陰極５にて生成され、溶融塩から気化したフッ化水素ガス及び溶融塩ミスト等の溶融塩由来の成分を含んだ副生ガス（水素ガス）は、第２水素ガス配管２１に誘導され、直接第１水素ガス配管１０には誘導されない。さらに、第２水素ガス配管２１を通過した該ガスは、フッ化水素を還流させるための第１水素ガス配管１０に導かれ、温度調節されたジャケット１４を配置した第１水素ガス配管１０部分において、該ガス中のフッ化水素が液化される。
【００８９】
液化したフッ化水素は、自重により第１水素ガス配管１０を逆流し、陰極室８へと戻る。この液化したフッ化水素が陰極室８へ戻る際に、溶融塩ミストを吸着し、溶融塩ミストとともに陰極室８へ戻すことが可能となる。
【００９０】
以上の第２の実施の形態によれば、以下に示す作用効果を奏する。
【００９１】
陽極室７にて生成され、溶融塩から気化したフッ化水素ガス及び溶融塩由来のミスト成分を含んだ主生ガス（フッ素ガス）を誘導する第２フッ素ガス配管１９と、液化させたフッ化水素を還流させるための第１フッ素ガス配管９とを別々に設けるとともに、陰極５にて生成され、溶融塩から気化したフッ化水素ガス及び溶融塩由来のミスと成分を含んだ副生ガス（水素ガス）を誘導する第２水素ガス配管２１と、液化させたフッ化水素を還流させるための第１水素ガス配管１０とを別々に設ける。この構成によって、電解槽１より生成した各ガスの流れと液化させたフッ化水素の流路を別々に分離することができる。
【００９２】
そのため、電解槽にて生成される主生ガス及び副生ガスの生成量を増加させ、各ガスが誘導される配管内の各ガスの線速度が速くなる場合においても、液化したフッ化水素が自重により落下する力より、発生ガスが電解槽１から上部に流通する力が上回ってしまうことなく、液化させたフッ化水素を正常に還流することが可能となる。
【００９３】
特に、電解槽にて生成される主生ガス及び副生ガスを誘導する配管での各ガスの線速度が１０ｃｍ／ｓｅｃ以上になる場合に、本発明の第２の実施の形態は有効である。
【００９４】
＜第２の実施の形態の変更形態＞
以上の第２の実施の形態は、電解槽で生成した主生ガス及び副生ガスを誘導する配管と生成した各ガス中に含まれるフッ化水素を還流する配管を別々に設けることによって、電解槽で発生させる各ガスの流量を増加させた場合においても、正常にフッ化水素を液化還流させることを可能にしたものである。
【００９５】
しかし、第２の実施の形態では、電解槽で発生した主生ガス及び副生ガスを誘導する配管と、各ガス中に含まれるフッ化水素を還流する配管の接続部分が、ジャケットなどの熱交換機構に覆われていないことや、電解槽にて発生した各ガスの流れと液化したフッ化水素の流れが複雑になるため、該接続部分において配管の閉塞が起こる可能性が高くなることがある。
【００９６】
そこで、図３に示されるフッ素ガス生成装置３００において、電解槽１で発生した主生ガス及び副生ガスを誘導する各配管９、１０と、発生した各ガス中に含まれるフッ化水素を還流するため各配管１９、２１の接続部分を、各ジャケット１３、１４の内部に配置する。この構成によって、該接続部分における配管の閉塞を低減させることも可能である。
【００９７】
なお、図３に示される第２の実施の形態の変更形態における他の構成は、第２の実施の形態と同様である。
【実施例】
【００９８】
以下、実施例により本発明を詳細に説明するが、本発明はかかる実施例に限定されるものではない。
【００９９】
[実施例１]
本例に用いる実験装置の概略図を図１に示す。
【０１００】
第１フッ素ガス配管９及び第１水素ガス配管１０にはφ１／４インチのステンレス配管を用いた。ジャケット１３にはφ＝１インチでＬ＝１５ｃｍのステンレス配管を使用し、第１フッ素ガス配管９を冷却できるように設置した。またジャケット１３は、電解槽１の上部天板１ａからの距離が２０ｃｍの位置に設置した。
【０１０１】
ジャケット部分の冷却温度は、熱媒を流通させて−５０℃に温度調整を行った。熱媒にはシリコンオイルを使用した。
【０１０２】
第１フッ素ガス配管９にガス線速を７ｃｍ／ｓｅｃになるように電解槽１の電流値を固定し、電解槽１の連続運転を行ったところ、１５０時間連続運転を行っても電解槽１の配管部分に閉塞は見られなかった。
【０１０３】
また、電解槽１とジャケット１３の間の第１フッ素ガス配管９の一部をステンレス配管からＰＦＡ配管へと材質変更し、液化還流の有無を目視による観察を行ったところ、フッ化水素の液化を確認した。
【０１０４】
また、電解停止後、第１フッ素ガス配管９のジャケット１３による冷却部より後段の部分を解体し、内部観察を行ったところ、ＫＦ成分の固着物は確認されなかった。またバルブ１１についても同様に目視観察を行ったところ、ＫＦ成分の固着物は確認されなかった。
【０１０５】
［比較例１］
実施例１と同様の装置を用い、ジャケット１３に熱媒を流通させず、第１フッ素ガス配管９を室温に保持した。その他の条件は実施例１と同様の条件で同様の操作を行ったところ、約４０時間電解を行ったところで、陽極室７の圧力が上昇し始めたため、配管９に閉塞が生じたものとみなし、電解を停止した。
【０１０６】
また、電解停止後、第１フッ素ガス配管９を解体し、内部観察を行ったところ、白色の固体が確認された。またバルブ１１にも白色の固体の付着を確認した。
【０１０７】
該固体の元素分析を、蛍光Ｘ線分析装置を用いて実施したところ、溶融塩由来のＫＦ成分が含まれていることが確認できた。
【０１０８】
[実施例２]
第１フッ素ガス配管９にはφ１インチのステンレス配管を用い、ジャケット１３にはφ２インチおよびＬ＝３００ｍｍのステンレス配管を使用した。ジャケット１３は、電解槽１の上部天板１ａからの距離が３０ｃｍの位置にある第１フッ素ガス配管９部分に設置した。また、ジャケット１３を設置したフッ素ガス配管９の内部にはφ＝６ｍｍのステンレス製ラシヒリングを充填した。
【０１０９】
ジャケット部分の冷却温度は、熱媒を流通させて−５５℃に温度調整を行った。熱媒にはシリコンオイルを使用した。
【０１１０】
第１フッ素ガス配管９にガス線速を７ｃｍ／ｓｅｃになるように電解槽１の電流値を固定し、電解槽１の連続運転を行ったところ、１年間経過しても、該配管が閉塞することなく、安定に連続運転が可能であった。
【０１１１】
従来のフィルターを用いて溶融塩成分をトラップするフッ素ガス生成装置を用いる場合（例えば、特開２００６−１１１９００号公報等）では、フィルターの交換や再生させるために、数十時間ごとに電解槽を停止させる必要があった。
【０１１２】
それに対し、上述の実施例１及び実施例２に示されるように、本発明におけるフッ素ガス生成装置によれば、電解槽において生成される主生ガス及び副生ガスを誘導する配管や弁の洗浄、及び、電解槽の運転停止等をすることなく、かつ、長時間安定的に生成ガスを供給可能である点においても、本発明は極めて大きな効果を有することが判明した。
【０１１３】
［比較例２］
第１フッ素ガス配管９にはφ１インチのステンレス配管を用い、ジャケット１３を取り付けていない状態で、ガス線速を７ｃｍ／ｓｅｃになるように電解槽１の電流値を固定し、電解槽１の連続運転を行ったところ、３ヶ月経過後に該配管の閉塞が生じた。
【０１１４】
第１フッ素ガス配管９及びバルブ１１を解体し、内部観察を行ったところ、バルブ１１の内部に白色の固化物が付着しており、この固化物が閉塞の原因となっていたことが判明した。
【０１１５】
該固化物の元素分析を、蛍光Ｘ線分析装置を用いて実施したところ、比較例１と同様に溶融塩由来のＫＦ成分が含まれていることが確認できた。
【０１１６】
［実施例３］ 
第１フッ素ガス配管９及び第１水素ガス配管１０にはφ１／４インチのステンレス配管およびＰＦＡ（ポリテトラフルオロエチレン）配管を用いた。ジャケット１３にはφ＝１インチでＬ＝１５ｃｍのステンレス配管を使用し、第１フッ素ガス配管９を冷却できるように設置した。またジャケット１３は、電解槽１の上部天板１ａからの距離が３０ｃｍの位置にある第１フッ素ガス配管９部分に設置した。なお、ジャケット１３の下部に位置するφ１／４インチ配管についてはＰＦＡ配管を用い、目視観察ができるようにした。電解槽の液面変動については、電解槽に目視観察用の窓を設け、目視観察を行った。フッ化水素を供給する配管は、フッ素ガス配管９のジャケット１３より下部に設置した。
【０１１７】
ジャケット１３部分の冷却温度は、熱媒を流通させて−５５℃に温度調整を行った。熱媒にはシリコンオイルを使用した。
【０１１８】
第１フッ素ガス配管９にガス線速を７．８ｃｍ/ｓｅｃになるように電解槽１の電流値を固定し、電解槽１の運転を行い、第１フッ素ガス配管９にフッ化水素ガスを１７ｓｃｃｍ（０．１２当量）添加し、第１フッ素ガス配管９の後段（ジャケット１３の後段）におけるフッ化水素濃度をフーリエ変換赤外分光計（ＦＴ−ＩＲ）により分析した。また、還流時の溶融塩液面の目視観察をし、溶融塩液面の突沸および液面変動の有無を確認した。
【０１１９】
第１フッ素ガス配管９の後段（ジャケット１３の後段）におけるフッ化水素濃度をフーリエ変換赤外分光計（ＦＴ−ＩＲ）により分析したところ、９．６％であった。
【０１２０】
フッ化水素の液化還流の有無を目視により観察したところ、フッ化水素の液化を確認することができた。また、還流時の溶融塩液面の目視観察を行ったところ、溶融塩液面の突沸および液面変動は観察されなかった。
【０１２１】
［比較例３］ 
第１フッ素ガス配管９に添加するフッ化水素ガスを３４ｓｃｃｍ（０．２４当量）にする以外は、実施例３と同様の条件で同様の操作を行った。液化フッ化水素の還流時の溶融塩液面の目視観察を行ったところ、溶融塩液面の突沸および液面変動が観察された。
【０１２２】
［実施例４］ 
第１フッ素ガス配管９に添加するフッ化水素ガスを８ｓｃｃｍ（０．０６当量）、ジャケット１３部分の冷却温度を−５９℃にする以外は、実施例３と同様の条件で同様の操作を行った。
【０１２３】
その結果、第１フッ素ガス配管９の後段（ジャケット１３の後段）におけるフッ化水素濃度は８．０％であった。また、フッ化水素の液化還流の有無を目視による観察を行ったところ、フッ化水素の液化を確認することができた。また、液化フッ化水素の還流時の溶融塩液面の目視観察を行ったところ、溶融塩液面の突沸および液面変動は観察されなかった。
【０１２４】
［実施例３、４］および［比較例３］の結果より、添加するフッ化水素の濃度を調整することにより、溶融塩液面の突沸および液面変動を生じることなく、液化フッ化水素を還流させることできることが分かる。
【０１２５】
［参考例１］ 
第１フッ素ガス配管９にフッ化水素ガスを添加せずに、実施例３と同様の条件で同様の操作を行い、第１フッ素ガス配管９の後段（ジャケット１３の後段）におけるフッ化水素濃度をフーリエ変換赤外分光計（ＦＴ−ＩＲ）により分析したところ、９．８％であった。
【０１２６】
［参考例１］及び［実施例３］より、適切な量のフッ化水素を加えることによって、生成ガス（Ｆ2）中のフッ化水素濃度を増加させることなく、フッ化水素を還流させることができることが分かる。
【産業上の利用可能性】
【０１２７】
本発明は、フッ素ガスを生成する装置に適用することができる。
【符号の説明】
【０１２８】
１００、２００、３００        フッ素ガス生成装置
１                            電解槽
１ａ                          上部天板
２                            フッ素ガス供給系
３                            水素ガス供給系
４                            陽極
５                            陰極
６                            スカート
７                            陽極室
８                            陰極室
９                            第１フッ素ガス配管
１０                          第１水素ガス配管
１１、１２                    バルブ
１３、１４                    ジャケット
１５、１７                    熱媒入口配管
１６、１８                    熱媒出口配管
１９                          第２フッ素ガス配管
２１                          第２水素ガス配管
２０、２２                    ディップ管
【図１】
2011084806.tif 000003
【図２】
2011084806.tif 000004
【図３】
2011084806.tif 000005